(57)【特許請求の範囲】
【請求項１】
長手方向の中央領域が凸となるように湾曲した長辺部を有する、弾性材料からなる反転部材と、
前記長辺部と一端で繋がり、他端が自由端であって、前記長辺部の長手方向と交わる方向に延び、前記長辺部の長手方向に沿って所定の間隔で配置された複数の櫛歯と、
を備え、
前記複数の櫛歯は、少なくとも前記一端から前記他端までの長さが異なる第1の櫛歯及び第２の櫛歯を有し、前記第1の櫛歯及び前記第２の櫛歯が前記長辺部の長手方向で隣接して配置され、
前記第1の櫛歯及び前記第２の櫛歯は前記一端から前記他端まで並んで延びており、
前記反転部材の反転により、前記複数の櫛歯が前記反転部材と近接した状態及び離間した状態に変更され、
使用時において、前記第１の櫛歯及び前記第２の櫛歯は、近接した前記反転部材との間に使用者の毛髪を挟み込むことを特講とする留め具。
【請求項２】
前記長辺部の長手方向において、１本または隣接して配置された複数本の前記第1の櫛歯から構成された第1の櫛歯領域と、１本または隣接して配置された複数本の前記第２の櫛歯から構成された第２の櫛歯領域とが隣接して配置されていることを特徴とする請求項１に記載の留め具。
【請求項３】
前記長辺部の長手方向において、前記第１の櫛歯領域と前記第２の櫛歯領域とが交互に配置された配置パターンを有することを特徴とする請求項２に記載の留め具。
【請求項４】
前記長辺部の長手方向において、中心部に対して左右対称に前記第１の櫛歯及び前記第２の櫛歯が配置されていることを特徴とする請求項１から３の何れか１項に記載の留め具。
【請求項５】
前記反転部材は、前記長辺部と、前記長辺部と対向し長手方向の中央領域が凸となるように湾曲した他の長辺部と、対向する２つの短辺部とから構成された略四辺形の平面形状を有することを特徴とする請求項１から４の何れか１項に記載の留め具。
【請求項６】
前記櫛歯の自由端に頭部を備え、
前記頭部が前記略四辺形の平面形状よりも外側に位置することを特徴とする請求項５に記載の留め具。
【請求項７】
前記他の長辺部に摩擦部材が備えられていることを特徴とする請求項５または６に記載の留め具。
【発明の詳細な説明】
【技術分野】
【０００１】
本発明は、対象物を挟み込んで固定する留め具であって、特に、擬毛が植設されたかつらベースを使用者の頭部に固定するために適用可能な留め具に関する。
【背景技術】
【０００２】
擬毛が植設されたかつらベースを使用者の頭部に固定するため、かつら用の留め具が用いられる場合がある。このかつら用留め具は、縫い糸等によりかつらベースの裏面側（使用者の頭部に接する側）に取り付けられ、かつら用留め具で使用者の毛髪を挟み込むことにより、かつらベースを使用者の頭部に固定することができる。そのようなかつら用留め具の中には、複数の櫛歯が取り付けられた反転部材を用いたものが提案されている（例えば、特許文献１参照）。特許文献１に記載のかつら用留め具では、櫛歯を開いて、櫛歯で使用者の毛髪をすくい上げた後、反転部材を反転させて櫛歯が閉じることにより、櫛歯と反転部材との間に使用者の毛髪を挟み込んで固定することができる。
【先行技術文献】
【特許文献】
【０００３】
【特許文献１】実用新案登録第３２２１８３３号
【発明の概要】
【発明が解決しようとする課題】
【０００４】
特許文献１に記載のかつら用留め具では、反転部材に取り付けられた複数の櫛歯の長さが同一に形成されている。一般的に、人の毛髪は、複数段になって生えており、かなりボリュームがあり、毛髪の長さも異なり、毛流も異なる。このため、櫛歯の長さが同一の場合、櫛歯の先端が一直線上に並ぶので、櫛歯の先端が毛髪に触れたとき、毛流にズレが生じて、毛髪が逃げてしまって、十分な量の毛髪をすくい上げることが困難となる。
また、櫛歯の先端が一直線上に並ぶ場合、挟み込まれた毛髪が櫛歯の延びる方向に沿って配向する傾向にあり、留め具を十分な力で固定できない虞がある。
【０００５】
本発明の目的は、上記の課題を解決するものであり、反転部材を反転させることにより、櫛歯が閉じた状態及び櫛歯が開いた状態の切り替えが可能な留め具であって、より多くの使用者の毛髪を挟み込むことができるとともに、使用者の毛髪に強く固定することができる留め具を提供することを目的とする。
【課題を解決するための手段】
【０００６】
上記の課題を解決するため、本発明に係る留め具は、
長手方向の中央領域が凸となるように湾曲した長辺部を有する、弾性材料からなる反転部材と、
前記長辺部と一端で繋がり、他端が自由端であって、前記長辺部の長手方向と交わる方向に延び、前記長辺部の長手方向に沿って所定の間隔で配置された複数の櫛歯と、
を備え、
前記複数の櫛歯は、少なくとも前記一端から前記他端までの長さが異なる第1の櫛歯及び第２の櫛歯を有し、前記第1の櫛歯及び前記第２の櫛歯が前記長辺部の長手方向で隣接して配置され、
前記反転部材の反転により、前記複数の櫛歯が前記反転部材と近接した状態及び離間した状態に変更されることを特講とする留め具。
【発明の効果】
【０００７】
以上のように、本発明においては、反転部材を反転させることにより、櫛歯が閉じた状態及び櫛歯が開いた状態の切り替えが可能な留め具であって、より多くの使用者の毛髪を挟み込むことができるとともに、使用者の毛髪に強く固定することができる留め具を提供することができる。
【図面の簡単な説明】
【０００８】
【図１】本発明の第１の実施形態に係る留め具を構成する反転部材を模式的に示す平面図である。
【図２】本発明の第１の実施形態に係る留め具を模式的に示す平面図である。
【図３Ａ】図２の矢印Ｃから見た側面図であり、特に櫛歯が閉じた状態を示す図である。
【図３Ｂ】図２の矢印Ｃから見た側面図であり、特に櫛歯が開いた状態を示す図である。
【図４Ａ】本発明の第２の実施形態に係る留め具の櫛歯の領域を模式的に示す平面図である。
【図４Ｂ】本発明の第３の実施形態に係る留め具の櫛歯の領域を模式的に示す平面図である。
【図４Ｃ】本発明の第４の実施形態に係る留め具の櫛歯の領域を模式的に示す平面図である。
【図５Ａ】本発明の実施例の留め具を示す図（写真）である。
【図５Ｂ】従来の留め具である比較例の留め具を示す図（写真）である。
【図６】実施例の留め具を用いて、櫛歯ですくい上げることができる毛髪の数を測定する試験を示す図（写真）である。
【図７Ａ】実施例の留め具を用いて、櫛歯と反転部材との間で毛髪を挟み込んだときの毛髪の状態を示す図（写真）である。
【図７Ｂ】比較例の留め具を用いて、櫛歯と反転部材との間で毛髪を挟み込んだときの毛髪の状態を示す図（写真）である。
【図８】、留め具の櫛歯と反転部材との間で毛髪を挟み込んで留め具を毛髪に固定できる力を、バネ秤を用いて測定するところを示す図（写真）である。
【図９】本発明に係る留め具が取り付けられたかつらを模式的に示す平面図である。
【発明の詳細な説明】
【０００９】
以下、図面を参照しながら、本発明を実施するための実施形態を説明する。以下に説明する実施形態は、本発明の技術思想を具体化するためのものであって、特定的な記載がない限り、本発明を以下のものに限定しない。
各図面中、同一の機能を有する部材には、同一符号を付している場合がある。要点の説明または理解の容易性を考慮して、便宜上実施形態を分けて示す場合があるが、異なる実施形態で示した構成の部分的な置換または組み合わせは可能である。後述の実施形態では前述の実施形態と共通の事柄についての記述を省略し、異なる点についてのみ説明する。特に、同様の構成による同様の作用効果については、実施形態ごとには逐次言及しないものとする。各図面が示す部材の大きさや位置関係等は、説明を明確にするため、誇張して示している場合もある。
【００１０】
（本発明の第１の実施形態に係る留め具）
はじめに、図１、図２、図３Ａ及び図３Ｂを参照しながら、本発明の第１の実施形態に係る留め具の説明を行う。図１は、本発明の第１の実施形態に係る留め具を構成する反転部材を模式的に示す平面図である。図２は、本発明の第１の実施形態に係る留め具を模式的に示す平面図である。図３Ａは、図２の矢印Ｃから見た側面図であり、特に櫛歯が閉じた状態を示す図である。図３Ｂは、図２の矢印Ｃから見た側面図であり、特に櫛歯が開いた状態を示す図である。
【００１１】
＜反転部材＞
図１は、変形させる前の初期状態における反転部材４の平面形状を示す。本実施形態に係る反転部材４は、弾性材料である金属薄板から形成されている。ただし、これに限られるものではなく、弾性を有する材料であれば、樹脂材料をはじめとするその他の任意の材料を用いることができる。反転部材４は、初期状態において、長辺部４ａと、長辺部４ａと対向した他の長辺部４ｂと、対向する２つの短辺部４ｃ、４ｄ１／ｄ２とから構成された略四辺形の平面形状を有する。
図面左側の短辺部４ｄ１／ｄ２では、短辺部４ｄ１及び短辺部４ｄ２の間が離間しており、初期状態の反転部材４は略Ｃの字形の平面形状を有するということもできる。離間した空間を挟んで、短辺部４ｄ１及び短辺部４ｄ２の端部近傍には、連結穴２２ａ及び連結穴２２ｂが設けられている。この連結穴２２ａ及び連結穴２２ｂの中心間距離がＤで示されている。
【００１２】
長辺部４ａには、長辺部４ａと一端（図１の矢印Ａ参照）で繋がり、他端（図１の矢印Ｂ参照）が自由端の複数の櫛歯１０、１２が取りつけられている。櫛歯１０、１２を更に詳細に述べれば、一端から他端までの長さが異なる第1の櫛歯１０及び第２の櫛歯１２を有する。第1の櫛歯１０の方が第２の櫛歯１２よりも長く形成されている。
第1の櫛歯１０は、軸部１０ａ及び軸部１０ａの自由端に備えられた略球形の頭部１０ｂを備える。同様に、第２の櫛歯１２は、軸部１２ａ及び軸部１２ａの自由端に備えられた略球形の頭部１２ｂを備える。第1の櫛歯１０及び第２の櫛歯１２は金属材料で形成され、例えば、溶接や蝋付けで、反転部材４の長辺部４ａに取りつけられている。
【００１３】
第1の櫛歯１０及び第２の櫛歯１２は、反転部材４の長辺部４ａの長手方向と略直交する方向に延びている。ただし、常に長辺部４ａの長手方向に直交する必要はなく、長辺部４ａの長手方向に対して斜めに傾いた方向に延びる場合もあり得る。ただし、第1の櫛歯１０及び第２の櫛歯１２は、互いに略平行に配置されるのが好ましい。
以上をまとめて表せば、第1の櫛歯１０及び第２の櫛歯１２は、反転部材４の長辺部４ａの長手方向と交わる方向に延びていると言える。このような第1の櫛歯１０及び第２の櫛歯１２が、反転部材４の長辺部４ａの長手方向に沿って所定の間隔で配置されている。
【００１４】
反転部材４や第１の櫛歯１０及び第２の櫛歯１２は、ステンレス鋼、炭素鋼、アルミニウム、銅、チタンといった金属材料で形成することができる。更に、金属薄板の表面にコーティングを行うこともでき、特に、金属表面のコーティングが金属アレルギに対応するために有効である。装着時の感触を改善するため、例えばラバータッチのコーティングを施すこともできるし、用途に合わせてその他の任意の材料をコーティングすることができる。
【００１５】
反転部材４の寸法について述べれば、厚みとして、０．１５〜２ｍｍを例示することができ、長辺部側の長さ（図１のＷ参照）として、２０〜５０ｍｍを例示することができ、短辺部側の長さとして、６〜３０ｍｍを例示することができる。また、櫛歯１０、１２の長さとして、８〜３０ｍｍを例示することができ、櫛歯１０、１２の軸部１０ａ、１２ａの外径として、０．３〜２ｍｍを例示できる。また、隣接する櫛歯１０、１２の間隔として、１〜３ｍｍを例示することができる。ただし、これらの寸法はかつらに適用する場合の例示であって、用途に応じて、その他の任意の寸法を採用することができる。
【００１６】
この初期状態から、図１の点線の矢印で示すように、中心間距離がＤの連結穴２２ａ及び連結穴２２ｂが重なるように反転部材４を変形させて、連結部材２０で締結することにより、図２に示すような留め具２を形成することができる。このとき、対向する長辺部４ａ及び他の長辺部４ｂは、その長手方向の中央領域が凸となるように湾曲する。
例えば、連結部材２０として金属製リベットを用いて、リベット挿入後、挿入した先端部を塑性変形させて連結することができる。つまり、”かしめる”ことにより連結することができる。ただし、連結方法はこれに限られるものではなく、例えば、ボルト、ナットのようなその他の連結部材用いて機械的に連結することもできるし、溶接によって連結することができる。ただし、連結部材２０を用いた方が、重ね合わされた連結領域が相対的に動く余裕があるので、より操作性に優れると考えられる。
【００１７】
＜留め具＞
以上のようにして形成された留め具２の反転部材４は、四辺からなる略矩形の平面形状を有する。図３Ａに示すように、対向する長辺部４ａ及び他の長辺部４ｂにおいて、その長手方向の中央領域が図面下側に凸となるように湾曲している場合には、第１の櫛歯１０及び第２の櫛歯１２が反転部材４と近接した状態となり、反転部材４の弾性力により、その状態が維持される。つまり、第１の櫛歯１０及び第２の櫛歯１２が閉じた状態が、反転部材４の弾性力により維持される。
この状態から、使用者が反転部材４を反転させて、図３Ｂ示すように、対向する長辺部４ａ及び他の長辺部４ｂにおいて、その長手方向の中央領域が図面上側に凸となるように湾曲させた場合には、第１の櫛歯１０及び第２の櫛歯１２が反転部材４と離間した状態に変更される。そして、反転部材４の弾性力により、その状態が維持される。つまり、第１の櫛歯１０及び第２の櫛歯１２が開いた状態が、反転部材４の弾性力により維持される。
【００１８】
これにより、第１、第２の櫛歯１０、１２が開いた状態において、第１、第２の櫛歯１０、１２で使用者の毛髪をすくい上げて、第１、第２の櫛歯１０、１２及び反転部材４の間に所定の量の毛髪を入れた後、反転部材４を反転させて、第１、第２の櫛歯１０、１２が開いた状態から閉じた状態に変更することにより、第１、第２の櫛歯１０、１２及び反転部材４の間に所定の量の毛髪を挟んで保持することができる。
留め具２の反転部材４が略矩形の平面形状を有するので、第１、第２の櫛歯１０、１２が開いた状態及び閉じた状態を安定して維持できるとともに、容易に反転部材４を反転させて、第１、第２の櫛歯１０、１２の開閉を変更することができる。
【００１９】
また、反転部材４の他の長辺部４ｂの全面に摩擦部材６が備えられている。摩擦部材６には、シリコンをはじめとするゴム、エラストマやウレタンといった摩擦係数の高い弾性材料を用いることができる。例えば、チューブ状に形成された摩擦部材６を、初期状態において、反転部材４の離間領域（図１参照）から挿入して、他の長辺部４ｂを覆うように装着して、その後、反転部材４を変形させて連結することにより、反転部材４の他の長辺部４ｂに摩擦部材６を備えることができる。ただし、これに限られるものではなく、反転部材４を変形させて連結した後、接着等により摩擦部材６を他の長辺部４ｂに取り付けることもできる。
【００２０】
本実施形態では、他の長辺部４ｂに摩擦部材６が備えられているので第１、第２の櫛歯１０、１２が閉じた状態において、第１、第２の櫛歯１０、１２と摩擦部材６との間で毛髪を保持する力が増し、より確実に留め具２を毛髪に固定することができる。
なお、反転部材４には、図面左側に２個、右側に３個の計５個の取付用穴２４が設けられている。更に、連結部材２０の中央部も開口しており、実質的に左右３個ずつの取付用穴が設けられている。これらの取付用穴２４等に縫い糸等を通して、留め具２をかつらベースに縫い付けることができる。また、この取付用穴２４により、留め具２の軽量化が図られ、反転部材４を変形し易くしている。
【００２１】
＜櫛歯の開き具合＞
上記のように初期状態において、中心間距離Ｄだけ離れた連結穴２２ａ、２２ｂの位置を一致させるまで、反転部材４を変形させることにより、長辺部４ａ及び他の長辺部４ｂが湾曲する。このとき、長辺部４ａの長手方向の長さＷ（図１参照）に対して、連結穴２２ａ、２２ｂの中心間距離Ｄが大きい方が、反転部材４をより大きく変形させて、長辺部４ａ及び他の長辺部４ｂの湾曲の度合いを大きくすることができる。
【００２２】
これにより、第１、第２の櫛歯１０、１２が開いた状態で、第１、第２の櫛歯１０、１２及び反転部材４のなす開口角度をより大きくとることができる。よって、第１、第２の櫛歯１０、１２が反転部材４に固定された根元部分の近傍まで毛髪を挿入することができるので、より多くの毛髪を挿入することができる。また、櫛歯１０、１２が開いた状態における開口角度が大きい場合には、第１、第２の櫛歯１０、１２の先端と反転部材４との間の距離を大きくとることができる。これにより、開いた第１、第２の櫛歯１０、１２と反転部材４との間に毛髪を容易に挿入することができる。
【００２３】
このように、第１、第２の櫛歯１０、１２及び反転部材４のなす開口角度をより大きくとるため、連結穴２２ａ、２２ｂの中心間距離（つまり、初期状態から重ね合わされる状態までの移動量）Ｄと、長辺部４ａの長手方向の長さＷとの間で、Ｄ／Ｗの値が０．１５以上であると、第１、第２の櫛歯１０、１２の先端と反転部材４との間の距離を十分大きくとることができることを知見した。例えば、第１の櫛歯１０の長さが１２ｍｍ程度の場合において、開いた状態で、第１の櫛歯１０の先端と反転部材４との間の距離を６ｍｍ程度とることができる。
ただし、長辺部４ａの長さＷに対して連結穴２２ａ、２２ｂの中心間距離Ｄが大きすぎると、反転部材４の変形が大きすぎて、反転させるときに大きな力を要することになる。
【００２４】
以上を総合的に判断すると、連結穴２２ａ、２２ｂの中心間距離Ｄ及び長辺部４ａの長さＷの間で
０．１５  ≦  Ｄ／Ｗ）  ≦０．１７
の関係を有することが好ましいと言える。
このように、長辺部４ａの長さＷに対して連結穴２２ａ、２２ｂの中心間距離Ｄを上記の範囲にとることにより、開いた状態で第１、第２の櫛歯１０、１２及び反転部材４のなす開口角度を大きくとることができるとともに、容易に反転部材４を反転できる留め具２を実現できる。
【００２５】
（櫛歯の長さ）
本実施形態に係る留め具２では、一端（図１の矢印Ａ参照）から他端（図１の矢印Ｂ参照）までの長さが異なる第1の櫛歯１０及び第２の櫛歯１２を有し、第1の櫛歯１０及び第２の櫛歯１２が反転部材４の長辺部４ａの長手方向で隣接して配置されている。一般的に、人の毛髪は、複数段になって生えており、かなりボリュームがあり、毛髪の長さも異なり、毛流も異なる。
【００２６】
留め具２に使用者の毛髪を挟み込んで留め具２を毛髪に固定するため、開いた状態の第1、第２の櫛歯１０、１２と反転部材４との間に、毛髪を入れる必要がある。本実施形態に係る留め具２では、長さの異なる第1の櫛歯１０及び第２の櫛歯１２が隣接して配置されているので、長さの長い第1の櫛歯１０で毛髪をすくい上げるときに逃げてすくえなかった毛髪を、隣接する長さの短い第２の櫛歯１２ですくい上げることができる。これにより、より多くの毛髪を、容易に第1、第２の櫛歯１０、１２と反転部材４との間に入れることができる。
【００２７】
更に、本実施形態のように、長さが異なる第1の櫛歯１０及び第２の櫛歯１２により凹凸のある先端形状が形成される場合、櫛歯１０、１２及び反転部材４の間に毛髪を挟んだとき、毛髪は、櫛歯１０、１２の延びる方向だけでなく、櫛歯の延びる方向に対して斜めの方向にも配向する。このように、挟み込まれた毛髪が様々な角度で櫛歯１０、１２に絡みつくので、留め具２で毛髪を挟み込んで固定する力を大きくすることができる。よって、留め具２を使用者の毛髪に強く安定して固定することができる。
【００２８】
よって、本実施形態では、反転部材４を反転させることにより、櫛歯が閉じた状態及び櫛歯が開いた状態の切り替えが可能な留め具２であって、より多くの毛髪を容易に櫛歯１０、１２と反転部材４との間に挟み込むことができるとともに、使用者の毛髪に強く安定して固定することができる留め具２を提供することができる。
【００２９】
更に詳細に述べれば、本実施形態に係る留め具２は、反転部材４の長辺部４ａの長手方向において、隣接して配置された２本の第1の櫛歯１０から構成された第1の櫛歯領域１０Ａと、隣接して配置された２本の第２の櫛歯１２から構成された第２の櫛歯領域１２Ａとが隣接して配置されている。それぞれ複数本の櫛歯１０、１２が隣接して配置された第1の櫛歯領域１０Ａ及び第２の櫛歯領域１２Ａにより、より確実に毛髪をすくい上げることができるとともに、第1の櫛歯領域１０Ａですくい上げられなかった毛髪を、隣接する長さが短い第２の櫛歯領域１２Ａで確実にすくい上げることができる。
【００３０】
更に、本実施形態では、反転部材４の長辺部４ａの長手方向において、第１の櫛歯領域１０Ａと第２の櫛歯領域１２Ａとが交互に配置された配置パターンを有する。図２を参照すれば、図面左から、第１の櫛歯領域１０Ａ、第２の櫛歯領域１２Ａ、第１の櫛歯領域１０Ａ、第２の櫛歯領域１２Ａ、第１の櫛歯領域１０Ａの順に並んでいる。
このような配置パターンにより、反転部材４の長辺部４ａの長手方向のほぼ全域において、確実に毛髪を櫛歯１０、１２と反転部材４との間に挟み込むことができる。
【００３１】
更にこのような配置パターンにより、反転部材４の長辺部４ａの長手方向において、中心部に対して左右対称に第１の櫛歯１０及び第２の櫛歯１２が配置されている。このような対称な配置により、櫛歯１０、１２と反転部材４との間に毛髪をバランス良く挟み込むことができるので、留め具２が毛髪からズレにくい固定が実現できる。
【００３２】
＜櫛歯の頭部の位置＞
第１、第２の櫛歯１０、１２の自由端には、略球形の頭部１０ｂ、１２ｂが備えられているが、この頭部１０ｂ、１２ｂが反転部材４の略四辺形の平面形状よりも外側に位置している。これにより、第１、第２の櫛歯１０、１２に使用者の毛髪をすくい上げ易くすることができる。一方、第１、第２の櫛歯１０、１２が長く伸びすぎると、留め具２をかつらベースに取りつけたときに、頭部１０ｂ、１２ｂがかつらのネットに引っかかる可能性が高まる。
【００３３】
本実施形態に係る留め具２では、留め具２を使用者の毛髪に強く固定することができるので、
反転部材４の略四辺形の平面形状において、対向する２つの短辺部４ｃ、４ｄ１／ｄ２の長さを短くしても、十分な固定する力を得ることができる。よって、第１、第２の櫛歯１０、１２の頭部１０ｂ、１２ｂが、反転部材４の略四辺形の平面形状よりも外側に位置していても、第１、第２の櫛歯１０、１２が長く伸びすぎることがない。これにより、使用者の毛髪をすくい上げ易いとともに、かつらのネットに引っかかる虞の少ない留め具２を提供できる。
【００３４】
（本発明のその他の実施形態に係る留め具）
長さの異なる櫛歯の配置は、上記の第1の実施形態に限られるものではなく、少なくとも長さが異なる第1の櫛歯１０及び第２の櫛歯１２を有し、第1の櫛歯１０及び第２の櫛歯１２が反転部材４の長辺部４ａの長手方向で隣接して配置されていれば、その他の任意の櫛歯の配置を採用することができる。その一例として、図４Ａから４Ｃを参照しながら、本発明の第２から第４の実施形態に係る留め具の説明を以下に行う。
【００３５】
＜第２の実施形態に係る留め具＞
図４Ａは、本発明の第２の実施形態に係る留め具の櫛歯の領域を模式的に示す平面図である。本実施形態に係る留め具２では、反転部材４の長辺部４ａの長手方向において、１本の第1の櫛歯１０から構成された第1の櫛歯領域１０Ａと、１本の第1の櫛歯１０より短い第２の櫛歯１２から構成された第２の櫛歯領域１２Ａとが隣接して配置されている。上記の第１の実施形態で、それぞれ複数本の第1、第２の櫛歯１０、１２が隣接して配置されて第1、第２の櫛歯領域１０Ａ、１２Ａが構成されていたが、本実施形態で、それぞれ１本の第1、第２の櫛歯１０、１２により第1、第２の櫛歯領域１０Ａ、１２Ａが構成されている点で異なる。
ただし、第１の実施形態と同様に、反転部材４の長辺部４ａの長手方向において、第１の櫛歯領域１０Ａと第２の櫛歯領域１２Ａとが交互に配置された配置パターンを有し、中心部に対して左右対称に第１の櫛歯１０及び第２の櫛歯１２が配置されている。
【００３６】
このように、第1、第２の櫛歯領域１０Ａ、１２Ａが、それぞれ１本の第１、第２の櫛歯１０、１２から構成されているので、反転部材４の長辺部４ａの長さが同じであっても、長さの異なる櫛歯が隣接する状態をより多く作ることができる。これにより、第1の櫛歯１０ですくい上げられなかった毛髪を、隣接する長さの短い第２の櫛歯１２ですくい上げる機能をより効果的に発揮することができる。
【００３７】
＜第３の実施形態に係る留め具＞
図４Ｂは、本発明の第３の実施形態に係る留め具の櫛歯の領域を模式的に示す平面図である。本実施形態に係る留め具２では、反転部材４の長辺部４ａの長手方向において、隣接して配置された２本の第1の櫛歯１０から構成された第1の櫛歯領域１０Ａと、１本の第１の櫛歯１０より短い第２の櫛歯１２から構成された第２の櫛歯領域１２Ａとが隣接して配置されている。上記の第１の実施形態では、それぞれ同じ本数の第１、第２の櫛歯１０、１２が隣接して配置されて第１、第２の櫛歯領域１０Ａ、１２Ａが構成されていたが、本実施形態で、異なる本数の第１、第２の櫛歯１０、１２により第１、第２の櫛歯領域１０Ａ、１２Ａが構成されている点で異なる。
【００３８】
ただし、第１の実施形態と同様に、反転部材４の長辺部４ａの長手方向において、第１の櫛歯領域１０Ａと第２の櫛歯領域１２Ａとが交互に配置された配置パターンを有する。図４Ｂを参照すれば、図面左から、第２の櫛歯領域１２Ａ、第１の櫛歯領域１０Ａ、第２の櫛歯領域１２Ａ、第１の櫛歯領域１０Ａ、第２の櫛歯領域１２Ａ、第１の櫛歯領域１０Ａ、第２の櫛歯領域１２Ａの順に並んでいる。また、第１の実施形態と同様に、反転部材４の長辺部４ａの長手方向において、中心部に対して左右対称に第１の櫛歯１０及び第２の櫛歯１２が配置されている。
本実施形態では、長さが長い第1の櫛歯１０の本数が多いので、第1の櫛歯１０を用いてより多くの毛髪をすくい上げることができる。
【００３９】
＜第４の実施形態に係る留め具＞
図４Ｃは、本発明の第４の実施形態に係る留め具の櫛歯の領域を模式的に示す平面図である。本実施形態に係る留め具２では、反転部材４の長辺部４ａの長手方向において、隣接して配置された２本の第1の櫛歯１０から構成された第1の櫛歯領域１０Ａと、１本の第1の櫛歯１０より短い第２の櫛歯１２から構成された第２の櫛歯領域１２Ａとに加えて、１本の第２の櫛歯１２より短い第３の櫛歯１４から構成された第３の櫛歯領域１４Ａを有する点で、上記の第１の実施形態と異なる。
ただし、第１の実施形態と同様に、中心部に対して左右対称に第１の櫛歯１０、第２の櫛歯１２及び第３の櫛歯１４が配置されている。
【００４０】
本実施形態では、第２の櫛歯１２より短い第３櫛歯１４が隣接して配置されているので、第1の櫛歯１０ですくい上げられなかった毛髪を、隣接する長さの短い第２の櫛歯１２ですくい上げ、更に、第２の櫛歯１２ですくい上げられなかった毛髪を、隣接する更に長さの短い第３の櫛歯１４ですくい上げることができる。よって、より多くの毛髪を効果的に櫛歯１０、１２、１４と反転部材４との間に挟み込むことができる。
【００４１】
以上のように、反転部材４の長辺部４ａの長さをむやみに長くすることなく、長さの異なる櫛歯が隣接する状態を多く作ることを考えると、各櫛歯領域１０Ａ、１２Ａ、１４Ａにおける櫛歯１０、１２、１４の本数は１〜３本程度が好ましい。また、各櫛歯領域１０Ａ、１２Ａ、１４Ａですくい上げる毛髪の量のバランスを考慮すると、各櫛歯領域１０Ａ、１２Ａ、１４Ａにおける櫛歯１０、１２、１４の本数は、同数であるか、または本数の差があっても１、２本程度の差であることが好ましい。
【００４２】
（実施例）
次に、上記の第１の実施形態に係る留め具２を実際に製造して実施例とし、従来の留め具１０２を比較例として比較試験を行った結果を説明する。図５Ａは、本発明の実施例の留め具を示す図（写真）である。図５Ｂは、従来の留め具である比較例の留め具を示す図（写真）である。図５Ａに示す実施例は、上記の第１の実施形態に係る留め具２と同様な構造を有し、長さの異なる第１の櫛歯１０及び第２の櫛歯１２を備える。一方、従来の留め具である比較例では、全ての櫛歯が同一の長さになっている。なお、櫛歯の長さ以外については、実施例及び比較例は、ほぼ同様な形状を有している。
【００４３】
＜実施例１＞
はじめに、図６を参照しながら、留め具の櫛歯ですくい上げる毛髪の数を比較した実施例１の説明を行う。図６は、実施例の留め具を用いて、櫛歯ですくい上げることができる毛髪の数を測定する試験を示す図（写真）である。
図６に示すように、プレートに毛髪に見立てた１００本のミシン糸を固定し、図５Ａに示す実施例の留め具２、及び図５Ｂに示す比較例の留め具１０２で、ミシン糸を櫛歯及び反転部材の間に挟み込む試験を、それぞれ１０回行った。その結果を下表に示す。
【００４４】
（表１）
0006789433.tif 000002
【００４５】
以上のように、実施例の方が平均２９．５本のミシン糸を挟み込むことができ、平均２３．８本の比較例に比べて、より多くのミシン糸を挟み込むことができることが判明した。これにより、長さが異なる第1の櫛歯１０及び第２の櫛歯１２が隣接して配置されることにより、より多くの毛髪を挟み込むことができることが実証された。
【００４６】
＜実施例２＞
次に、図７Ａ及び図７Ｂを参照しながら、毛髪に見立てたミシン糸を用いて、実施例及び比較例に係る留め具で挟み込んだ毛髪が櫛歯に絡み付く状態を比較観察した実施例２の説明を行う。図７Ａは、実施例の留め具２を用いて、櫛歯と反転部材との間で毛髪を挟み込んだときの毛髪の状態を示す図（写真）である。図７Ｂは、比較例の留め具１０２を用いて、櫛歯と反転部材との間で毛髪を挟み込んだときの毛髪の状態を示す図（写真）である。
【００４７】
図７Ａの矢印に示すように、実施例の留め具２では、長さが異なる第1の櫛歯１０及び第２の櫛歯１２により凹凸のある先端形状が形成されるので、毛髪が。櫛歯１０、１２の延びる方向に沿って配向するだけでなく、櫛歯１０、１２の延びる方向に対して斜めの方向にも配向することが判明した。一方、全ての櫛歯の長さが同一な比較例の留め具１０２では、ほぼ全ての毛髪が櫛歯の延びる方向に配向することが判明した。
これにより、実施例の留め具２を用いて毛髪を挟み込んで固定する力が、比較例の留め具１０２を用いて毛髪を挟み込んで固定する力に比べて大きくなる要因を実証することができた。
【００４８】
＜実施例３＞
次に、図８を参照しながら、実施例の留め具２で毛髪を挟み込んで固定する力と、比較例の留め具１０２で毛髪を挟み込んで固定する力を測定する実施例３の説明を行う。図８は、留め具の櫛歯と反転部材との間で毛髪を挟み込んで留め具を毛髪に固定できる力を、バネ秤を用いて測定するところを示す図（写真）である。
図８に示すように、実施例及び比較例の留め具２、１０２の櫛歯及び反転部材の間に毛髪に見立てたミシン糸を挟み込んで、その留め具２、１０２にバネ秤で引っ張って固定する力を測定した。
【００４９】
具体的には、バネ秤を引っ張る力を増やしていき、留め具２、１０２が動き始めたときのバネ秤の値を固定する力とした。その結果、比較例の留め具１０２では、固定する力が２０〜３０ｇだったのに対して、実施例の留め具２では、固定する力が４０〜５０ｇであった。
これにより、実施例の留め具２の固定する力が、比較例の留め具１０２の固定する力より大きいことが判明した。よって、長さが異なる第1の櫛歯１０及び第２の櫛歯１２により、挟み込んだ毛髪が、櫛歯の延びる方向だけでなく、櫛歯の延びる方向に対して斜めの方向にも配向する実施例の留め具２では、より大きな力で毛髪と固定することができることが実証された。
【００５０】
このように、長さが異なる第1の櫛歯１０及び第２の櫛歯１２を備える留め具２では、毛髪を挟み込んで固定する力が大きいので、反転部材４の略四辺形の平面形状において、対向する２つの短辺部４ｃ、４ｄ１／ｄ２の長さを短くしても、十分な固定する力を確保することができる。例えば、反転部材４の略四辺形の平面形状において、長辺部の長さをＬ１、短辺部の長さをＬ２とすると、Ｌ２／Ｌ１の値を０．３以下にしても十分な固定する力を得ることができることを知見した。ただし、あまり長辺と短辺の差が大きいと使いにくい傾向も生じるので、
０．２  ≦  Ｌ２／Ｌ１  ≦  ０．３
の範囲が好ましいと考えられる。
【００５１】
これにより、第1の櫛歯１０及び第２の櫛歯１２の先端が略四辺形の平面形状の外側に延びていたとしても、留め具２をかつらベースに取りつけたとき、かつらのネットに引っかかることを抑制することができる。よって、使用者の毛髪をすくい上げ易いとともに、かつらのネットに引っかかる虞の少ない留め具２を提供できる。
【００５２】
（留め具が取り付けられたかつらの説明）
次に、図９を参照しながら、上記のような様々な実施形態に係る留め具が取り付けられたかつらについて説明する。図９は、本発明に係る留め具が取り付けられたかつらを模式的に示す平面図である。
【００５３】
図９では、２つの留め具２が、かつらベース３０の裏面側（使用者の頭部に接する側）に取り付けられているところを示す。特に、かつらベース３０の周縁部の近傍であって、使用者の耳の前（こめかみ）の領域に取り付けられている。なお、かつらベース３０に取り付ける留め具２の数は、２つに限らず、用途に応じて任意の数を取り付けることができる。
留め具２をかつらベース３０に取り付ける方法として、留め具２に設けられた複数の取付用穴２４や連結部材２０の開口に縫い糸を通して、かつらベース３０に縫い付けることが考えられる。ただし、これに限られるものではなく、他の連結部材を用いることをはじめ、既知の任意の方法で留め具２をかつらベース３０に取り付けることができる。
【００５４】
このようなかつらベース３０に擬毛３２が植設されてかつら４０が形成される。使用者が、このかつら４０を装着するときは、かつらベース３０を頭部に装着した後、耳の前（こめかみ）の領域にある留め具２の櫛歯を開く状態にして、使用者の毛髪を櫛歯と反転部材との間に挿入した後、反転部材を反転させて、毛髪を櫛歯と反転部材との間で挟み込んで保持させる。これにより、かつら４０を安定して頭部に固定することができる。
【００５５】
（本発明の実施形態に係る留め具）
以上のように、上記の各実施形態に係る留め具２では、長手方向の中央領域が凸となるように湾曲した長辺部４ａを有する、弾性材料からなる反転部材４と、長辺部４ａと一端で繋がり、他端が自由端であって、長辺部４ａの長手方向と交わる方向に延び、長辺部４ａの長手方向に沿って所定の間隔で配置された複数の櫛歯１０、１２と、を備え、複数の櫛歯１０、１２は、少なくとも一端から他端までの長さが異なる第1の櫛歯１０及び第２の櫛歯１２を有し、第1の櫛歯１０及び第２の櫛歯１２が長辺部４ａの長手方向で隣接して配置され、反転部材４の反転により、複数の櫛歯１０、１２が反転部材４と近接した状態及び離間した状態に変更されるようになっている。
【００５６】
これにより、反転部材を反転させることにより、櫛歯１０、１２が閉じた状態及び櫛歯１０．１２が開いた状態の切り替えが可能な留め具２であって、より多くの使用者の毛髪を挟み込むことができるとともに、使用者の毛髪に強く固定することができる留め具２を提供することができる。
【００５７】
更に、上記の各実施形態に係る留め具２では、長辺部４ａの長手方向において、１本または隣接して配置された複数本の第1の櫛歯１０から構成された第1の櫛歯領域１０Ａと、１本または隣接して配置された複数本の第２の櫛歯１２から構成された第２の櫛歯領域１２Ａとが隣接して配置されている。
【００５８】
これにより、第1の櫛歯領域１０Ａですくい上げられなかった毛髪を、隣接する長さが短い第２の櫛歯領域１２Ａで確実にすくい上げることができる。
【００５９】
特に、上記の第１から第３の実施形態では、長辺部４ａの長手方向において、第１の櫛歯領域１０Ａと第２の櫛歯領域１２Ａとが交互に配置された配置パターンを有するので、長辺部４ａの長手方向のほぼ全域において、確実に毛髪を櫛歯１０、１２と反転部材４との間に挟み込むことができる。
【００６０】
更に、上記の各実施形態に係る留め具２では、長辺部４ａの長手方向において、中心部に対して左右対称に第１の櫛歯１０及び第２の櫛歯１２が配置されているので、櫛歯１０、１２と反転部材４との間に毛髪をバランス良く挟み込むことができるので、留め具２が毛髪からズレにくい固定が実現できる。
【００６１】
本発明に係る留め具は、上述のかつらベースを固定する用途だけでなく、固定する対象物を櫛歯と反転部材の間に挿入させ、反転部材を反転させて、反転部材の弾性力で対象物を挟み込んで固定するものであれば、その他の任意の分野で適用することができる。
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００６２】
２        留め具
４        反転部材
４ａ      長辺部
４ｂ      他の長辺部
４ｃ      短辺部
４ｄ１    短辺部
４ｄ２    短辺部
６        摩擦部材
１０      第１の櫛歯
１０ａ    軸部
１０ｂ    頭部
１０Ａ    第１の櫛歯領域
１２      第２の櫛歯
１２ａ    軸部
１２ｂ    頭部
１２Ａ    第２の櫛歯領域
１４      第３の櫛歯
１４ａ    軸部
１４ｂ    頭部
１４Ａ    第３の櫛歯領域
２０      連結部材
２２ａ、２２ｂ  連結穴
２４      取付用穴
３０      かつらベース
３２      擬毛
４０      かつら
【要約】
【課題】  反転部材を反転させることにより、櫛歯が閉じた状態及び櫛歯が開いた状態の切り替えが可能な留め具であって、より多くの使用者の毛髪を挟み込むことができるとともに、使用者の毛髪に強く固定することができる留め具を提供する。  
【解決手段】  長手方向の中央領域が凸となるように湾曲した長辺部４ａを有する、弾性材料からなる反転部材４と、長辺部４ａと一端で繋がり、他端が自由端であって、長辺部４ａの長手方向と交わる方向に延び、長辺部４ａの長手方向に沿って所定の間隔で配置された複数の櫛歯１０、１２と、を備え、複数の櫛歯１０、１２は、少なくとも一端から他端までの長さが異なる第1の櫛歯１０及び第２の櫛歯１２を有し、第1の櫛歯１０及び第２の櫛歯１２が長辺部４ａの長手方向で隣接して配置され、反転部材４の反転により、複数の櫛歯１０、１２が反転部材４と近接した状態及び離間した状態に変更される留め具２を提供する。
【選択図】  図２【図１】
0006789433.tif 000003
【図２】
0006789433.tif 000004
【図３Ａ】
0006789433.tif 000005
【図３Ｂ】
0006789433.tif 000006
【図４Ａ】
0006789433.tif 000007
【図４Ｂ】
0006789433.tif 000008
【図４Ｃ】
0006789433.tif 000009
【図５Ａ】
0006789433.tif 000010
【図５Ｂ】
0006789433.tif 000011
【図６】
0006789433.tif 000012
【図７Ａ】
0006789433.tif 000013
【図７Ｂ】
0006789433.tif 000014
【図８】
0006789433.tif 000015
【図９】
0006789433.tif 000016